(57)【要約】【課題】            流通過程や保管時の衝撃や振動で、連結釘の巻回体が巻き崩れることを防止し、使用時の整形作業をなくし、使用済後の処理も容易化する。【解決手段】        板状体５に、連結釘の巻回体１１の径に略等しい仮想円５ａの中心側に形成された円形孔７と、この円形孔７から前記仮想円５ａに向かって放射状に切込みが入れられて、前記仮想円５ａで折り曲げられることにより、前記巻回体１１の嵌合孔８を形成する巻回体支持片９とを有し、この巻回体支持片９を押し広げるようにして前記嵌合孔８に前記巻回体１１を挿入したとき、この巻回体支持片９が前記巻回体１１の周面を弾性支持する。【選択図】          図４
0003126117.tif 000002
【実用新案登録請求の範囲】
【請求項１】
板状体に、連結釘の巻回体の径に略等しい仮想円の中心から該仮想円に向かって放射状に切込みが入れられて複数の巻回体支持片に形成され、
該巻回体支持片が仮想円で折り曲げられることにより前記巻回体の嵌合孔に形成され、
前記巻回体支持片を押し拡げるようにして前記嵌合孔に巻回体を挿入したとき、この巻回体支持片が挿入された巻回体の周面を弾性支持する巻回体の挿着部を複数具備することを特徴とする連結釘収納用板状体。
【請求項２】
前記巻回体の挿着部は、連結釘の巻回体の径に略等しい仮想円の中心側に円形孔が形成され、この円径孔から前記仮想円に向かって放射状に切込みが入れられて複数の巻回体支持片に形成されていることを特徴とする請求項１記載の連結釘収納用板状体。
【請求項３】
前記板状体が、高さ保持用の脚部を備えていることを特徴とする請求項１または２記載の連結釘収納用板状体。
【請求項４】
板状体に、連結釘の巻回体の径に略等しい仮想円の中心から該仮想円に向かって放射状に切込みが入れられて複数の巻回体支持片に形成され、
該巻回体支持片が仮想円で折り曲げられることにより前記巻回体の嵌合孔に形成され、
前記巻回体支持片を押し拡げるようにして前記嵌合孔に巻回体を挿入したとき、この巻回体支持片が挿入された巻回体の周面を弾性支持する巻回体の挿着部を複数具備する連結釘収納用板状体が、容器内に移動規制された状態で収納されて備えることを特徴とする連結釘用包装容器。
【請求項５】
前記連結釘収納用板状体の巻回体の挿着部は、連結釘の巻回体の径に略等しい仮想円の中心側に円形孔が形成され、この円径孔から前記仮想円に向かって放射状に切込みが入れられて複数の巻回体支持片に形成されていることを特徴とする請求項１記載の連結釘用包装容器。
【請求項６】
前記嵌合孔に装着された巻回体を、複数段に積み重ねて収納していることを特徴とする請求項４または５記載の連結釘用包装容器。
【請求項７】
前記板状体が高さ保持用の脚部を備え、前記嵌合孔に装着された巻回体を、前記板状体の脚部により所定高さを保持して収納することを特徴とする請求項４または５記載の連結釘用包装容器。
【考案の詳細な説明】
【技術分野】
【０００１】
この考案は、自動釘打機のマガジンに装填されて使用される、多数の釘が渦巻き状に巻装された連結釘の収納用板状体及び包装容器に関する。
【背景技術】
【０００２】
自動釘打機には、長尺な合成樹脂製のテープや２本の針金で、多数本の釘を一定間隔の並列状に保持し、これを渦巻き状に巻装した連結釘（以下、連結釘の巻回体という）が、マガジンに装填されて使用される。このような自動釘打機に使用される連結釘の巻回体は、通常、複数（数個〜数十個）がダンボール箱等の包装容器に収納されて運搬や保管がなされているが、単に包装容器に収納しただけでは、流通過程における衝撃や振動で連結釘の巻回体が緩んだり、変形したり、連結釘同士が互いに絡み合ったりして、自動釘打機のマガジンに装填できなくなることが生じ、釘打ち現場で整形作業が必要となり、手数がかかるし作業効率も低下する課題があった。
【０００３】
そこで、従来、このような流通過程での包装容器内での連結釘の巻き崩れ等を防止するものとして、図１９に示すような連結釘の巻回体１１を収納するのに適した大きさの凹部１４を多数形成した合成樹脂製のトレー１５を使用し、これを包装容器２内に設置し、これに連結釘の巻回体１１の一端部を嵌め込んで収納するものが提案されている。
【０００４】
また、連結釘の巻回体を２個１対として対向させて釘の軸部を咬み合わせるとき、両巻回体間に間隔保持部材を介在させ、咬み合わせた両巻回体の高さ寸法を一定化したもの（例えば、特許文献１参照）、
また、ダンボール箱の底面に表面が波状に連続する凹凸条を有する紙製の底敷用下敷きを敷設し、その下敷きの上に上下２段の連結釘の巻回体を積み重ね、その上下の巻回体間に差し込み用下敷きが差し込まれた包装箱（例えば、特許文献２参照）、
さらに、連結釘の釘先端が形成する面に適合した底面を有する凹部が形成された合成樹脂製の下ケースと、連結釘の釘頭が形成する面に適合した底面を有する凹部が形成された合成樹脂製の上ケースとが、ヒンジにより連結されている包装容器（例えば、特許文献３参照）、がそれぞれ提案されている。
【特許文献１】特開平６−１７１６８３号公報
【特許文献２】実開平７−２６３２２号公報
【特許文献３】特開２０００−４３９６５号公報
【考案の開示】
【考案が解決しようとする課題】
【０００５】
しかし、前記図１９に示す合成樹脂製のトレー１５は、合成樹脂材によってトレー１５を製造するので高価につくし、使用済後に産業廃棄物として残るため、その処理が必要となると共に、その費用も必要となる課題がある。
また、連結釘の巻回体を２個１対として釘の軸部先端を互いに向き合わせ、咬み合わせたものを、包装容器に収納するものは、高さ寸法を低くできるし、間隔保持部材を介在させると両巻回体の高さ寸法を一定にできる利点があるが、連結釘の巻回体を２個１対として軸部先端を互いに向き合わせ、咬み合わせたものを組として複数組を包装容器に収納するだけなので、流通過程における衝撃や振動で巻き崩れや巻回体の緩みが生じやすい課題、およびその後の整形作業に手数がかかる課題がある。
【０００６】
また、ダンボール箱の底面に表面が波状に連続する凹凸条を有する紙製の底敷用下敷きを敷設し、その下敷きの上に上下２段の連結釘の巻回体を積み重ね、その上下の巻回体間に差し込み用下敷きを差し込んだ包装構造は、連結釘の釘先が各下敷きの凹凸条に係合して流通過程における衝撃が振動に対抗しているだけなので、釘先の振動は阻止できるとしても軸部、頭部の揺れや振動は阻止できない。そのため流通過程での衝撃や振動により巻き崩れが生じやすい課題、およびその後の整形作業も必要が生ずる課題がある。
さらに、連結釘の釘先端が形成する面に適合した底面を有する凹部が形成された合成樹脂製の下ケースと、連結釘の釘頭が形成する面に適合した底面を有する凹部が形成された合成樹脂製の上ケースが、ヒンジにより連結されている包装容器は、連結釘の巻回体を小分けして少数を収納して現場等に持ち運びするものであるので、多くの連結釘の巻回体の運搬や保管には適さないし、合成樹脂製なので高価となる課題がある。これを多数収納できるように大きくするとすれば、製造費用は、さらに高価となる。しかも、合成樹脂なので使用済後には産業廃棄物として処理しなければならず、その費用も嵩む課題がある。
【０００７】
この考案は、このような課題に鑑み提案されたものであり、その目的は、流通過程や保管時の衝撃や振動で、連結釘の巻回体の巻き崩れの発生がなく、使用時の整形作業も必要なく、しかも使用済後の処理も容易であり、安価でもある連結釘収納用板状体および連結釘用包装容器の提供にある。
【課題を解決するための手段】
【０００８】
前記目的を達成するため、この考案の連結釘収納用板状体は、板状体に、連結釘の巻回体の径に略等しい仮想円の中心から該仮想円に向かって放射状に切込みが入れられて複数の巻回体支持片に形成され、
該巻回体支持片が仮想円で折り曲げられることにより前記巻回体の嵌合孔に形成され、
前記巻回体支持片を押し拡げるようにして前記嵌合孔に巻回体を挿入したとき、この巻回体支持片が挿入された巻回体の周面を弾性支持する巻回体の挿着部を複数具備することを特徴とする。
【０００９】
また、この考案の連結釘収納用板状体の前記巻回体の挿着部は、連結釘の巻回体の径に略等しい仮想円の中心側に円形孔が形成され、この円径孔から前記仮想円に向かって放射状に切込みが入れられて複数の巻回体支持片に形成されていることを特徴とする。
【００１０】
この連結釘収納用板状体は、板状体に連結釘の巻回体の径に略対応する径の複数の嵌合孔で形成される巻回体の挿着部が形成されるので、連結釘の巻回体はこの嵌合孔に装着（嵌入）して収納することができる。また、この装着は、巻回体支持片を押し拡げるようにしてなされるので、装着状態の巻回体の外周が複数の巻回体支持片により弾性支持される。従って、板状体は嵌合孔及び巻回体支持片で連結釘の巻回体の巻き崩れを規制し、また、巻回体の位置を固定することができる。これにより連結釘の巻回体は、衝撃や振動に対してもしっかりと保持され、崩れることがなく、運搬や保管ができる。
【００１１】
また、この考案の前記連結釘収納用板状体は、適所に高さ保持用の脚部を備えていることを特徴とする。
これにより嵌合孔に連結釘の巻回体を収納した板状体を、所定の高さに保持することが可能となる。
【００１２】
また、この考案の連結釘用包装容器は、板状体に、連結釘の巻回体の径に略等しい仮想円の中心から該仮想円に向かって放射状に切込みが入れられて複数の巻回体支持片に形成され、
該巻回体支持片が仮想円で折り曲げられることにより前記巻回体の嵌合孔に形成され、
前記巻回体支持片を押し拡げるようにして前記嵌合孔に前記巻回体を挿入したとき、この巻回体支持片が挿入された巻回体の周面を弾性支持する巻回体の挿着部を複数具備する連結釘収納用板状体が、容器内に移動規制された状態で収納されて備えることを特徴とする。
【００１３】
また、この考案の連結釘用包装容器は、前記連結釘収納用板状体の巻回体の挿着部は、連結釘の巻回体の径に略等しい仮想円の中心側に円形孔が形成され、この円径孔から前記仮想円に向かって放射状に切込みが入れられて複数の巻回体支持片に形成されていることを特徴とする。
【００１４】
上記連結釘用包装容器によれば、包装容器内に設置された板状体は、連結釘の巻回体の径に略対応する径の複数の嵌合孔で形成される巻回体の挿着部が形成されているので、連結釘の巻回体は、板状体の各嵌合孔に装着して容器内に収納することができる。また、この装着は、巻回体支持片を押し拡げるようにしてなされるので、この押し拡げによって発生する弾性（反発力）によって装着状態の巻回体の外周が複数の巻回体支持片により弾性支持される。従って、収納された連結釘の巻回体は、板状体の嵌合孔に装着され巻回体支持片で弾性押圧されて巻き崩れが規制され、かつ巻回体とともに板状体の容器内における位置固定がなされる。これにより連結釘の巻回体は、板状体の嵌合孔及び巻回体支持片により衝撃や振動に対してもしっかりと保持されるので、常に整列した収納状態を維持し、巻き崩れ等を生ずることなく、板状体とともに運搬や保管ができる。
【００１５】
また、この考案の連結釘用包装容器は、前記嵌合孔に装着された巻回体を複数段に積み重ねて収納していることを特徴とする。
これにより前記作用、効果の他に、１つの容器内に多数の連結釘の巻回体を収納することができる。
【００１６】
さらに、この考案の連結釘用包装容器の前記板状体は、高さ保持用の脚部を備え、板状体の嵌合孔に装着された連結釘の巻回体が、前記脚部により所定高さを保持して包装容器内に収納されていることを特徴とする。
これにより板状体の嵌合孔に装着された連結釘の巻回体は、釘先端の尖鋭部が容器の底面に押圧当接して容器底面を損傷したり、容器内に複数段に積み重ねた場合に、上下の巻回体の連結釘が咬み合って崩れたりすることを防止できる。
【考案の効果】
【００１７】
この考案の連結釘収納用板状体によれば、次のような効果を奏する。
（１）この連結釘収納用板状体は、複数の巻回体の挿着部を備え、該挿着部は、巻回体支持片を折り曲げることによって、連結釘の巻回体の径に略対応する径の複数の嵌合孔が形成されるため、連結釘の巻回体は、この嵌合孔に装着（嵌入）して収納して、巻き崩れを規制し、位置の固定をすることができる。このとき、前記折り曲げにより発生した反発力によって、巻回体の周面が複数の巻回体支持片によって弾性支持される。
（２）従って、この連結釘収納用板状体を使用すれば、連結釘の巻回体を、衝撃や振動に対しても巻回体支持片によってしっかりと保持し、崩れ、乱れを防止し、後の整形作業を不要とできる。
（３）この連結釘収納用板状体は、板状体で形成されているので、使用する容器の内部形状、サイズに合う形状、サイズに容易に対応させることができ、使用する容器を限定することなく使用できる。
（４）この連結釘収納用板状体は、板状体に円形孔および切り込みを設けるのみで、嵌合孔と巻回体支持片が形成されるため、製造が容易で安価に提供できる。
（５）この連結釘収納用板状体は、紙製とすることができ、廃棄によっても公害の問題を発生することなく、環境に優しく、使用後の処理も容易となり、しかも、さらに安価とすることができる。
（６）この連結釘収納用板状体は、高さ保持用の脚部を備えているので、板状体の嵌合孔に装着した連結釘の巻回体は、所定の高さを保持することが可能となる。
【００１８】
また、この考案の連結釘用包装容器によれば、次のような効果を奏する。
（７）包装容器内に設置された板状体は、複数の巻回体の挿着部を備え、該挿着部は、巻回体支持片を折り曲げることによって、連結釘の巻回体の径に略対応する径の複数の嵌合孔が形成されているので、連結釘の巻回体は、板状体の各嵌合孔に装着（嵌入）して容器内に収納することができる。したがって、収納された連結釘の巻回体は、板状体の嵌合孔に装着されているので、巻き崩れが規制され、かつ位置が固定されて容器内に収納される。このとき、巻回体の周面が複数の巻回体支持片によって弾性支持される。
（８）これにより連結釘用包装容器の巻回体は、嵌合孔に装着されることによりその周面が巻回体支持片により弾性支持され、衝撃や振動に対して巻回体が更にしっかりと保持されるので、常に整列した収納状態を維持し、巻き崩れ等を生ずることなく運搬や保管をすることができる。従って、また連結釘の巻回体の後整形も不要となる。
（９）板状体の巻回体に装着（嵌入）された連結釘の巻回体は、包装容器内に複数段に積み重ねて収納することができるので、１つの容器内に多数の連結釘の巻回体を収納することができる。
（１０）板状体の嵌合孔に装着された連結釘の巻回体は、板状体の脚部により高さを保持して包装容器内に収納することができる。
（１１）従って、釘先端の尖鋭部が容器の底面に押圧当接して容器底面を損傷したりすることもないし（この場合は、紙製の容器において効果が大きい。）、容器内に複数段に積み重ねても、上下の巻回体の連結釘が接触して咬み合い崩れを生ずることも防止できる。
（１２）包装容器は、例えばダンボール箱などの紙製のものが使用でき、また、板状体も紙製のものを使用できるので、使用後の処理も容易であるし、公害の問題もない。しかも安価に提供できる。
【考案を実施するための最良の形態】
【００１９】
以下、この考案の実施の形態を図面と共に詳細に説明する。図１は、この考案の実施の形態を示す連結釘収納用板状体の斜視図、図２は、連結釘収納用板状体の使用例を示す斜視図である。
この連結釘収納用板状体は、板状体５に、連結釘の巻回体１１の径に略等しい仮想円５ａの中心５ｂから該仮想円５ａに向かって放射状に切込みが入れられて複数の巻回体支持片９に形成され、該巻回体支持片９が図２に示すように仮想円５ａで折り曲げられることにより前記巻回体１１の嵌合孔８に形成され、前記巻回体支持片９を押し拡げるようにして前記嵌合孔８に前記巻回体１１を挿入したとき、この巻回体支持片９が挿入された巻回体１１の周面を弾性支持する巻回体１１の挿着部６を複数具備して構成される。
【００２０】
また、図３は、この考案の他の実施の形態を示す連結釘収納用板状体の斜視図、図４は、この図３に示す連結釘収納用板状体の使用例を示す斜視図である。
この連結釘収納用板状体は、板状体５の巻回体１１の挿着部６が、連結釘の巻回体１１の径に略等しい仮想円５ａの中心側に円形孔７が形成され、この円形孔７から前記仮想円５ａに向かって放射状に切込みが入れられて複数の巻回体支持片９に形成されているものであって、他は前記実施の形態と同様である。
【００２１】
以下では、この図３および図４に示す連結釘収納用板状体を用いて連結釘用包装容器の実施の形態を説明する。図５はこの考案の実施の形態を示す連結釘用包装容器の一部破断斜視図、図６はこの考案の実施の形態を示す連結釘用包装容器の分解斜視図、図７はこの考案の実施の形態を示す連結釘用包装容器の断面図、図８乃至図１０は、それぞれこの考案の実施の形態を示す連結釘用包装容器の他の使用例を示す断面図である。
【００２２】
この図５乃至図１０に示す連結釘用包装容器１は、包装容器２と、この包装容器２内に設置される板状体５とを備える。包装容器２は、本例ではダンボール箱を示し、開口３の周縁に蓋片４が連結され、連結釘の巻回体１１を収納した後に開口３を閉塞できるようになっている。
包装容器２内に設置される板状体５は、複数の巻回体１１の挿着部６を有する。該挿着部６は、図３に示すように、連結釘の巻回体１１の径に略等しい仮想円５ａの中心側に形成された円形孔７と、この円形孔７から前記仮想円５ａに向って放射状に切込みが入れられて、この仮想円５ａで図４に示すように折り曲げられることにより、前記巻回体１１の嵌合孔８を形成する巻回体支持片９と、を備える。従って、巻回体支持片９を下方へ押し開くようにして、巻回体１１を嵌合孔８内に挿入した場合には、その巻回体支持片９が、前記押し開きによって発生する反発力（弾力）により巻回体１１の外周面を弾性的に押圧支持する。板状体５の外形は、包装容器２の内部形状と略同じに形成されており、包装容器２内に合致して設置される。
包装容器２と板状体５の材質は、特に制限されるものではないが、使用後の処理において公害の問題もなく容易に処理でき、また、安価に提供できるということを考慮すると紙製が好ましい。
【００２３】
連結釘の巻回体１１は、板状体５の各嵌合孔８に装着（嵌入）した状態にて包装容器２に収納される。板状体５は、包装容器２内に合致して設置されているので包装容器２内で移動不可となっており、連結釘の巻回体１１は、板状体５の嵌合孔８に装着（嵌入）されている。嵌合孔８は連結釘の巻回体１１の径と略対応しているので、嵌合孔８に装着された連結釘の巻回体１１は、嵌合孔８内で位置が固定され、更に巻回体支持片９によって周辺が弾性的に支えられるため、殆ど移動できない。従って、板状体５の嵌合孔８に装着された連結釘の巻回体１１は、巻き崩れが確実に規制され、かつ位置が固定されて包装容器２内に安定的に収納されることになる。
【００２４】
図５〜図７、図８〜図１０に示す本例では、板状体５の嵌合孔８に装着された連結釘の巻回体１１は、包装容器２内に２段に積み重ねて収納されている場合を示している。このような収納形態では、図７に示すように上段に位置する連結釘の巻回体１１と、下段に位置する連結釘の巻回体１１とが、互いに接触して咬み合い乱れが生じないともかぎらない。従って、このような場合は、図８に示すように上段に位置する連結釘の巻回体１１と、下段に位置する連結釘の巻回体１１との間に、紙板のような介在部材１２を介在させてもよい。
図７では巻回体１１は、板状体５の嵌合孔８に胴部まで挿入されて装着されており、板状体５は巻回体１１の胴部に位置している場合を示しているが、巻回体１１の板状体５の嵌合孔への挿入量は任意である。例えば、図９に示すように巻回体１１の先端側部分が板状体５の嵌合孔８に挿入されて装着されていてもよい。この場合の板状体５は巻回体１１の下方に位置している。図１０はこの場合に介在部材１２を介在させた場合を示している。しかし、図１０に示すような使用例だと、巻回体支持片９が嵌合孔８に挿入された巻回体１１の周側面に位置しなくなり、巻回体支持片９が巻回体１１に対し作用せず効果を発揮しないので、容器２内での板状体５の高さ位置は、自由に設定できるが、少なくとも巻回体支持片９が作用するように使用する。
【００２５】
また、板状体５に高さ保持用の脚部１０を設け、連結釘の巻回体１１を脚部１０により高さを保持して収納するようにすると、前記の事態は解消できる。
図１１乃至図１５は、脚部を備える板状体の実施の形態を示す斜視図である。図１１は板状体５が両端より垂下する脚部１０を備え、この脚部１０の長さが、巻回体１１の連結釘の長さの略半分の場合であり、各段に１個ずつ使用する。
図１２は板状体５が両端より垂下する脚部１０を備え、この脚部１０の長さが、巻回体１１の連結釘の長さと略同等の場合である。この場合は下段の板状体５には脚部１０がないものを使用できる。
図１３は板状体５が両端より垂下する脚部１０を備え、この脚部１０の長さが比較的短く、かつ脚部８が垂下された端部以外の端部より立上る立上り片１３を備える場合である。この場合、脚部１０と立上り片１３で、上下段における高さを保持する。
図１４および図１５は板状体５が両端より垂下する脚部１０を備え、この脚部１０の下端を内側に折り込んで、安定性と補強を図ったものであり、図１４は脚部１０が長い場合、図１５は脚部１０が短い場合である。
このような脚部１０を備える板状体５を使用することによって板状体５に装着した連結釘の巻回体１１の高さを保持することができる。
【００２６】
図１６は、前記図１５に示す板状体５を使用して連結釘の巻回体１１を、包装容器２に収納した場合の断面図である。この図１６から理解できる通り、連結釘の巻回体１１が、板状体５で高さが保持されて収納され、上下段における連結釘が接触するのを防止する様子がよく理解できる。
また、図８および図９に示すように板状体５に保持されて収納された下段に位置する巻回体１１の連結釘は、その先端の尖鋭部が包装容器２の底面２ａに、重圧で押圧当接して底面２ａを損傷する場合がある。特に、包装容器２が紙製の場合は、その傾向が大きくなり、耐久性が低下する場合もある。このような場合にも前記のような脚部１０を備える板状体５を使用すると有効である。
【００２７】
しかし、図１７に示すように連結釘の巻回体１１を２個１対として、巻回体１１の連結釘の先端を互いに向き合わせ、咬み合い状に組み合わせ、これを板状体５の嵌合孔８に装着（嵌入）し、互いに咬み合っている部分を嵌合孔７の部分に位置させて収納するようにしてもよい。このようにしても対の巻回体１１、１１の連結釘の咬み合っている部分は、嵌合孔８及び巻回体支持片９に保持され巻き崩れも防止されるし、位置も固定される。この図１７に示す収納形態によれば、包装容器２の高さ寸法を低くすることが可能となるし、連結釘の長さが異なっても高さ寸法を一定化することができる利点がある。この考案は、このような実施の形態も包含する。
【００２８】
なお、前記実施の形態は、この考案を制限するものではなく、この考案は、要旨を逸脱しない範囲において種々の変形が許容される。例えば、板状体５または介在部材１２には、包装容器２からの取り出しを容易とするための手段を設けてもよい。例えば、図１８に示すように板状体５または介在部材１２の外周縁の適所に取手片１６を形成したり、取手用の切欠や孔を設けたりしてもよい。
【図面の簡単な説明】
【００２９】
【図１】この考案の実施の形態を示す連結釘収納用板状体の斜視図である。
【図２】図１に示す連結釘収納用板状体の使用例を示す斜視図である。
【図３】この考案の他の実施の形態を示す連結釘収納用板状体の斜視図である。
【図４】図３に示す連結釘収納用板状体の使用例を示す斜視図である。
【図５】この考案の実施の形態を示す連結釘用包装容器の一部破断斜視図である。
【図６】この考案の実施の形態を示す連結釘用包装容器の分解斜視図である。
【図７】この考案の実施の形態を示す連結釘用包装容器の断面図である。
【図８】この考案の実施の形態を示す連結釘用包装容器の他の使用例を示す断面図である。
【図９】この考案の実施の形態を示す連結釘用包装容器の更に他の使用例を示す断面図である
【図１０】この考案の実施の形態を示す連結釘用包装容器のまた更に他の使用例を示す断面図である。
【図１１】板状体を示す斜視図である。
【図１２】他の板状体を示す斜視図である。
【図１３】また他の板状体を示す斜視図である。
【図１４】さらに他の板状体を示す斜視図である。
【図１５】また更に他の板状体を示す斜視図である。
【図１６】この考案の他の実施の形態を示す連結釘用包装容器の断面図である。
【図１７】この考案の更に他の実施の形態を示す連結釘用包装容器の断面図である。
【図１８】板状体の他の実施の形態を示す部分斜視図である。
【図１９】従来例を示す分解斜視図である。
【符号の説明】
【００３０】
１  連結釘用包装容器
２  包装容器
２ａ  包装容器の底面
３  包装容器の開口
４  包装容器の蓋片
５  板状体
６  巻回体の挿着部
７  円形孔
８  嵌合孔
９  巻回体支持片
１０  脚部
１１  連結釘の巻回体
【図１】
0003126117.tif 000003
【図２】
0003126117.tif 000004
【図３】
0003126117.tif 000005
【図４】
0003126117.tif 000006
【図５】
0003126117.tif 000007
【図６】
0003126117.tif 000008
【図７】
0003126117.tif 000009
【図８】
0003126117.tif 000010
【図９】
0003126117.tif 000011
【図１０】
0003126117.tif 000012
【図１１】
0003126117.tif 000013
【図１２】
0003126117.tif 000014
【図１３】
0003126117.tif 000015
【図１４】
0003126117.tif 000016
【図１５】
0003126117.tif 000017
【図１６】
0003126117.tif 000018
【図１７】
0003126117.tif 000019
【図１８】
0003126117.tif 000020
【図１９】
0003126117.tif 000021